(57)【要約】【課題】電源線の抵抗を抑制しながら各要素を電源線と同層から形成する。【解決手段】基板１０の面上には駆動トランジスタＴdrと素子導通部７１と初期化トランジスタＴintと接続部６１とが配置される。駆動トランジスタＴdrは、電源線１５から発光素子Ｅに供給される電流量を制御する。素子導通部７１は、駆動トランジスタＴdrと発光素子Ｅとを電気的に接続する。初期化トランジスタＴintは、オン状態に遷移することで駆動トランジスタＴdrをダイオード接続する。接続部６１は、駆動トランジスタＴdrと初期化トランジスタＴintとを電気的に接続する。電源線１５はＸ方向に延在する。素子導通部７１および接続部６１は、電源線１５と同層から形成され、基板１０に垂直な方向からみて、駆動トランジスタＴdrを挟んで電源線１５の幅方向（Ｙ方向）における一方の側に位置する。【選択図】図７
2010160526.tif 000002
【特許請求の範囲】
【請求項１】
電源線から発光素子に供給される電流量を制御する駆動トランジスタと、前記駆動トランジスタと前記発光素子とを電気的に接続する素子導通部と、オン状態に変化することで前記駆動トランジスタをダイオード接続する初期化トランジスタと、前記駆動トランジスタと前記初期化トランジスタとを電気的に接続する接続部とが基板上に配置された発光装置であって、
前記電源線は、所定の方向に延在する第１部分を含み、
前記素子導通部および前記接続部は、前記電源線と同層から形成され、前記駆動トランジスタを挟んで前記第１部分の幅方向における一方の側に位置する
ことを特徴とする発光装置。
【請求項２】
前記駆動トランジスタのゲート電極に電気的に接続された容量素子を具備し、
前記容量素子は、前記駆動トランジスタを挟んで前記接続部および前記素子導通部の反対側に配置され、
前記電源線の第１部分は、前記容量素子と重なり合う
請求項１に記載の発光装置。
【請求項３】
選択信号に応じてオン状態またはオフ状態となる選択トランジスタを具備し、
前記駆動トランジスタのゲート電極は、オン状態となった前記選択トランジスタを介してデータ線から供給されるデータ信号に応じた電位に設定され、
前記選択トランジスタは、前記容量素子を挟んで前記駆動トランジスタとは反対側に配置される
請求項２に記載の発光装置。
【請求項４】
前記駆動トランジスタと前記選択トランジスタと前記初期化トランジスタとを各々が含む複数の単位素子が前記所定の方向とは交差する方向に配列し、
前記選択トランジスタは、前記所定の方向に沿った一方の側に配置され、
前記初期化トランジスタは、前記所定の方向に沿った他方の側に配置される
請求項３に記載の発光装置。
【請求項５】
電源線から発光素子に供給される電流量を制御する駆動トランジスタと、前記駆動トランジスタと前記発光素子とを電気的に接続する素子導通部と、オン状態に変化することで前記駆動トランジスタをダイオード接続する初期化トランジスタと、前記駆動トランジスタと前記初期化トランジスタとを電気的に接続する接続部とが基板上に配置された発光装置であって、
前記電源線は、所定の方向に延在する第１部分を含み、
前記素子導通部および前記接続部は、前記電源線と同層から形成され、
前記素子導通部は、前記駆動トランジスタを挟んで前記第１部分の幅方向における一方の側に位置し、前記接続部は、前記駆動トランジスタに対して前記第１部分の幅方向における他方の側に位置する
ことを特徴とする発光装置。
【請求項６】
前記駆動トランジスタのゲート電極に電気的に接続された容量素子を具備し、
前記容量素子は、前記駆動トランジスタと前記接続部との間隙に配置され、
前記電源線の第１部分は、前記容量素子と重なり合う
請求項１に記載の発光装置。
【請求項７】
選択信号に応じてオン状態またはオフ状態となる選択トランジスタを具備し、
前記駆動トランジスタのゲート電極は、オン状態となった前記選択トランジスタを介してデータ線から供給されるデータ信号に応じた電位に設定され、
前記選択トランジスタは、前記容量素子を挟んで前記駆動トランジスタとは反対側に配置される
請求項６に記載の発光装置。
【請求項８】
前記駆動トランジスタと前記素子導通部と前記初期化トランジスタと前記接続部とを各々が含む複数の単位素子が前記所定の方向とは交差する方向に配列し、
前記電源線は、前記各単位素子に対応する複数の前記第１部分と、相互に隣接する各第１部分を連結する第２部分とを含む
請求項１または請求項５に記載の発光装置。
【請求項９】
請求項１から請求項８の何れかに記載の発光装置を具備する電子機器。
【発明の詳細な説明】
【技術分野】
【０００１】
本発明は、有機ＥＬ（ElectroLuminescent）材料などの発光材料を利用した発光装置の構造に関する。
【背景技術】
【０００２】
発光素子に供給される電流量を制御するトランジスタ（以下「駆動トランジスタ」という）が発光素子ごとに配置されたアクティブマトリクス方式の発光装置が従来から提案されている。また、例えば特許文献１や特許文献２には、駆動トランジスタの閾値電圧の誤差を補償するためのトランジスタ（以下「初期化トランジスタ」という）が駆動トランジスタのゲート電極とドレイン電極（またはソース電極）との間に介在する構成も開示されている。この構成においては、初期化トランジスタがオン状態に変化して駆動トランジスタがダイオード接続されると、駆動トランジスタのゲート電極はその閾値電圧に応じた電位に設定される。この状態から駆動トランジスタのゲート電極を所望の階調に応じた電位に変化させることによって、その閾値電圧に依存しない電流量を発光素子に供給することができる。
【先行技術文献】
【特許文献】
【０００３】
【特許文献１】米国特許第６，２２９，５０６号公報（FIG.2）
【特許文献２】特開２００４−１３３２４０号公報（図２および図３）
【発明の概要】
【発明が解決しようとする課題】
【０００４】
ところで、以上の構成においては、発光素子の発光に関わる各要素を電気的に接続するための配線が必要となる。例えば、駆動トランジスタと初期化トランジスタとを電気的に接続するための配線（以下「接続部」という）や駆動トランジスタと発光素子とを電気的に接続するための配線（以下「素子導通部」という）である。しかしながら、これらの配線の各々を別個の工程にて形成するとすれば、製造プロセスの煩雑化や製造コストの増大が問題となる。
【０００５】
この問題を解決するための方策としては、ひとつの導電膜のパターニングによって接続部や素子導通部を他の要素（例えば電源線）と同工程で形成するという方法も考えられる。しかしながら、この方法のもとでは、接続部や素子導通部を避ける形状に電源線などの他の要素を形成する必要がある。そして、このような制約から例えば電源線に充分な線幅を確保できず、この結果として電源線の抵抗が充分に低減されないといった問題が発生し得る。以上のような事情を背景として、本発明は、電源線の抵抗を抑制しながら接続部や素子導通部を電源線と同層から形成するという課題の解決を目的としている。
【課題を解決するための手段】
【０００６】
本発明に係る発光装置の第１の特徴は、電源線から発光素子に供給される電流量を制御する駆動トランジスタと、駆動トランジスタと発光素子とを電気的に接続する素子導通部（例えば図７の素子導通部７１）と、オン状態に変化することで駆動トランジスタをダイオード接続する初期化トランジスタと、駆動トランジスタと初期化トランジスタとを電気的に接続する接続部（例えば図７の接続部６１）とが基板上に配置され、電源線は、所定の方向に延在する第１部分（例えば図７に図示された電源線１５）を含み、素子導通部および接続部は、電源線と同層から形成され、駆動トランジスタを挟んで第１部分の幅方向（例えば図７のＹ方向）における一方の側に位置することにある。本態様の具体例は第１実施形態として後述される。
【０００７】
この構成によれば、素子導通部や接続部が電源線と同層から形成されるため、各部が別層から形成された構成と比較して、製造工程の簡素化や製造コストの低減が実現される。さらに、駆動トランジスタを挟んで第１部分の幅方向における一方の側に接続部や素子導通部が配置されるから、駆動トランジスタを挟んで他方の側に電源線のスペースを確保することができる。したがって、電源線を充分な面積（あるいは線幅）に形成してその抵抗を抑制することができる。
【０００８】
なお、複数の要素が「同層から形成される」とは、共通の膜体（単層であるか複数層であるかは不問である）の選択的な除去によって複数の要素が同工程で形成されることを意味し、各要素が相互に離間しているか連続しているかは不問である。
【０００９】
本発明の好適な態様においては、駆動トランジスタのゲート電極に電気的に接続された容量素子（例えば図２の容量素子Ｃ1や図２０または図２１の容量素子Ｃ2）がさらに設けられ、容量素子は、駆動トランジスタを挟んで接続部および素子導通部の反対側に配置され、電源線の第１部分は、容量素子と重なり合う。この態様によれば、容量素子と重なり合うように電源線が形成されるから、電源線の面積をさらに充分に確保することができる。
【００１０】
より具体的な態様においては、選択信号に応じてオン状態またはオフ状態となる選択トランジスタがさらに設けられ、駆動トランジスタのゲート電極は、オン状態となった選択トランジスタを介してデータ線から供給されるデータ信号に応じた電位に設定され、選択トランジスタは、容量素子を挟んで駆動トランジスタとは反対側に配置される。この態様によれば、容量素子を挟んで駆動トランジスタとは反対側の選択トランジスタが配置されるから、例えば駆動トランジスタと容量素子との間隙に選択トランジスタが配置された構成と比較して、電源線の面積（線幅）を充分に確保するとともに電源線の形状を単純化（例えば切欠などを含まない単純な帯状）することが可能である。
【００１１】
複数の単位素子が配列する構成も好適に採用される。各単位素子は、駆動トランジスタと選択トランジスタと初期化トランジスタとを含み、所定の方向とは交差する方向（さらには所定の方向）に配列する。この態様において、所定の方向に沿った一方の側（例えば図８におけるＸ方向の負側）に選択トランジスタを配置し、所定の方向に沿った他方の側（例えば図８におけるＸ方向の正側）に初期化トランジスタを配置してもよい。この構成によれば、所定の方向に沿った位置が選択トランジスタと初期化トランジスタとで相違するから、選択トランジスタと初期化トランジスタとの電気的な絶縁を維持しながら、各単位素子の間隙（例えば図８の領域Ｂ）を狭小化することが可能である。
【００１２】
本発明に係る発光装置の第２の特徴は、電源線から発光素子に供給される電流量を制御する駆動トランジスタと、駆動トランジスタと発光素子とを電気的に接続する素子導通部（例えば図１５の素子導通部７２）と、オン状態に変化することで駆動トランジスタをダイオード接続する初期化トランジスタと、駆動トランジスタと初期化トランジスタとを電気的に接続する接続部（例えば図１５の接続部６２）とが基板上に配置された発光装置であって、電源線は、所定の方向に延在する第１部分（例えば図１５の第１部分１５１）を含み、素子導通部および接続部は、電源線と同層から形成され、素子導通部は、駆動トランジスタを挟んで第１部分の幅方向における一方の側（例えば図１５におけるＹ方向の負側）に位置し、接続部は、駆動トランジスタに対して第１部分の幅方向における他方の側（例えば図１５におけるＹ方向の正側）に位置することにある。この態様の具体例は第２実施形態として後述される。
【００１３】
この構成によれば、素子導通部や接続部が電源線と同層から形成されるため、第１の態様と同様に、各部が別層から形成された構成と比較して、製造工程の簡素化や製造コストの低減が実現される。また、駆動トランジスタを挟んで相互に反対側の各領域に素子導通部および接続部の各々が形成されるから、素子導通部と接続部との間隙に電源線のスペースを確保することができる。したがって、電源線を充分な面積（あるいは線幅）に形成してその抵抗を抑制することができる。
【００１４】
第２の特徴に係る発光装置の好適な態様においては、駆動トランジスタのゲート電極に電気的に接続された容量素子（例えば図２の容量素子Ｃ1や図２０または図２１の容量素子Ｃ2）がさらに設けられ、容量素子は、駆動トランジスタと接続部との間隙に配置され、電源線の第１部分は、容量素子と重なり合う。この態様によれば、容量素子と重なり合うように電源線が形成されるから、電源線の面積をさらに充分に確保することができる。
【００１５】
さらに好適な態様においては、選択信号に応じてオン状態またはオフ状態となる選択トランジスタが設けられ、駆動トランジスタのゲート電極は、オン状態となった選択トランジスタを介してデータ線から供給されるデータ信号に応じた電位に設定され、選択トランジスタは、容量素子を挟んで駆動トランジスタとは反対側に配置される。この態様によれば、容量素子を挟んで駆動トランジスタとは反対側の選択トランジスタが配置されるから、例えば駆動トランジスタと容量素子との間隙に選択トランジスタが配置された構成と比較して、電源線の面積（線幅）を充分に確保するとともに電源線の形状を単純化（例えば切欠などを含まない単純な帯状）することが可能である。
【００１６】
以上に例示したように駆動トランジスタのゲート電極に容量素子が接続された構成においては、電源線は容量素子の一部のみと重なり合ってもよいしその全部と重なり合ってもよい。なお、以上に例示した各態様における容量素子は、典型的には駆動トランジスタのゲート電極の電位を設定または保持するために利用される。例えば、ひとつの態様における容量素子（例えば図２の容量素子Ｃ1）は、駆動トランジスタのゲート電極とデータ線との間に介在する。この構成においては、容量素子における容量カップリングによって、駆動トランジスタのゲート電極がデータ線の電位の変動量に応じた電位に設定される。また、その他の態様における容量素子（例えば図２０や図２１の容量素子Ｃ2）は、駆動トランジスタのゲート電極と定電位が供給される配線（例えば電源線）との間に介在する。この構成においては、データ線から駆動トランジスタのゲート電極に供給された電位が容量素子に保持される。
【００１７】
本発明の第１および第２の特徴に係る発光装置の具体的な態様において、駆動トランジスタと素子導通部と初期化トランジスタと接続部とを各々が含む複数の単位素子が所定の方向とは交差する方向に配列し、電源線は、各単位素子に対応する複数の第１部分と、相互に隣接する各第１部分を連結する第２部分（例えば図１５における第２部分１５２）とを含む。この態様によれば、電源線が第１部分のみからなる構成と比較して電源線の抵抗をさらに低減することができる。
【００１８】
本発明に係る発光装置は各種の電子機器に利用される。この電子機器の典型例は、発光装置を表示装置として利用した機器である。この種の電子機器としては、パーソナルコンピュータや携帯電話機などがある。もっとも、本発明に係る発光装置の用途は画像の表示に限定されない。例えば、光線の照射によって感光体ドラムなどの像担持体に潜像を形成するための露光装置（露光ヘッド）、液晶装置の背面側に配置されてこれを照明する装置（バックライト）、あるいは、スキャナなどの画像読取装置に搭載されて原稿を照明する装置など各種の照明装置など、様々な用途に本発明の発光装置を適用することができる。
【図面の簡単な説明】
【００１９】
【図１】発光装置において複数の単位素子が配列する様子を示すブロック図である。
【図２】各単位素子の電気的な構成を示す回路図である。
【図３】本発明の第１実施形態における単位素子の構成を示す平面図である。
【図４】図３におけるIV−IV線からみた断面図である。
【図５】ゲート絶縁層が形成された段階を示す平面図である。
【図６】第１絶縁層が形成された段階を示す平面図である。
【図７】第２絶縁層が形成された段階を示す平面図である。
【図８】第１絶縁層が形成された段階にある複数の単位素子を示す平面図である。
【図９】第２絶縁層が形成された段階にある複数の単位素子を示す平面図である。
【図１０】実施形態の効果を説明するための断面図である。
【図１１】実施形態の効果を説明するための回路図である。
【図１２】本発明の第２実施形態おける単位素子の構成を示す平面図である。
【図１３】ゲート絶縁層が形成された段階を示す平面図である。
【図１４】第１絶縁層が形成された段階を示す平面図である。
【図１５】第２絶縁層が形成された段階を示す平面図である。
【図１６】第２絶縁層が形成された段階にある複数の単位素子を示す平面図である。
【図１７】第２実施形態の変形例において第１絶縁層が形成された段階を示す平面図である。
【図１８】第２実施形態の変形例において第２絶縁層が形成された段階を示す平面図である。
【図１９】変形例に係る単位素子の構成を示す回路図である。
【図２０】変形例に係る単位素子の構成を示す回路図である。
【図２１】変形例に係る単位素子の構成を示す回路図である。
【図２２】本発明に係る電子機器の具体例であるパーソナルコンピュータの斜視図である。
【図２３】本発明に係る電子機器の具体例である携帯電話機の斜視図である。
【図２４】本発明に係る電子機器の具体例である携帯型情報端末の斜視図である。
【発明を実施するための形態】
【００２０】
＜Ａ：発光装置の電気的な構成＞
図１は、本発明の各実施形態に係る発光装置Ｄの電気的な構成を示すブロック図である。同図に示すように、発光装置Ｄは、複数の選択線１１と複数の初期化線１２と複数のデータ線１３とを有する。各選択線１１および各初期化線１２はＸ方向に延在する。各データ線１３はＸ方向に直交するＹ方向に延在する。選択線１１および初期化線１２の各対とデータ線１３との各交差には単位素子（画素）Ｐが配置される。したがって、これらの単位素子ＰはＸ方向およびＹ方向にわたってマトリクス状に配列する。ひとつの単位素子Ｐは発光の最小の単位となる要素である。各単位素子Ｐには電源線１５を介して高位側の電源電位Ｖddが供給される。
【００２１】
図２は、各単位素子Ｐの構成を示す回路図である。同図に示すように、電源線１５から接地線（接地電位Ｇnd）に至る経路上には発光素子Ｅと駆動トランジスタＴdrとが配置される。発光素子Ｅは、有機ＥＬ材料からなる発光層２３を第１電極２１（陽極）と第２電極２２（陰極）との間に介在させた素子である。第１電極２１は、単位素子Ｐごとに相互に離間して形成される。第２電極２２は、複数の単位素子Ｐにわたって連続に形成されて接地（Ｇnd）される。発光層２３は、第１電極２１から第２電極２２に流れる電流量に応じた光量で発光する。
【００２２】
駆動トランジスタＴdrは、発光素子Ｅに供給される電流量をゲート電極の電位（以下「ゲート電位」という）Ｖgに応じて制御するためのｐチャネル型の薄膜トランジスタである。駆動トランジスタＴdrのソース電極（Ｓ）は電源線１５に接続され、そのドレイン電極（Ｄ）は発光素子Ｅの第１電極２１に接続される。
【００２３】
駆動トランジスタＴdrのゲート電極とドレイン電極（発光素子Ｅの第１電極２１）との間には、両者の電気的な接続を制御するためのｎチャネル型のトランジスタ（以下では「初期化トランジスタ」という）Ｔintが介在する。初期化トランジスタＴintのゲート電極は初期化線１２に接続される。初期化線１２には駆動回路（図示略）から初期化信号Ｓbが供給される。初期化信号Ｓbがアクティブレベルとなって初期化トランジスタＴintがオン状態に変化すると、駆動トランジスタＴdrのゲート電極とドレイン電極とが電気的に接続（ダイオード接続）される。
【００２４】
図２に示すように、単位素子Ｐは、電極Ｅ1と電極Ｅ2とから構成される容量素子Ｃ1を含む。電極Ｅ1は駆動トランジスタＴdrのゲート電極に接続される。電極Ｅ2とデータ線１３との間には、両者の電気的な接続を制御するｎチャネル型のトランジスタ（以下「選択トランジスタ」という）Ｔslが介在する。選択トランジスタＴslのゲート電極は選択線１１に接続される。選択線１１には駆動回路（図示略）から選択信号Ｓaが供給される。なお、駆動トランジスタＴdrや選択トランジスタＴslや初期化トランジスタＴintの導電型は図２の例示から適宜に変更される。
【００２５】
次に、ひとつの単位素子Ｐの動作を初期化期間と書込期間と駆動期間とに区分して説明する。まず、初期化期間においては、駆動回路（図示略）からデータ線１３に所定の電位Ｖrefが供給されるとともに選択線１１の選択信号Ｓaと初期化線１２の初期化信号Ｓbとがアクティブレベル（ハイレベル）を維持する。したがって、容量素子Ｃ1の電極Ｅ2にはデータ線１３から選択トランジスタＴslを介して電位Ｖrefが供給される。また、初期化トランジスタＴintがオン状態に変化することで駆動トランジスタＴdrがダイオード接続される。したがって、駆動トランジスタＴdrのゲート電位Ｖgは、電源線１５に供給される電源電位Ｖddと駆動トランジスタＴdrの閾値電圧Ｖthとの差分値（Ｖg＝Ｖdd−Ｖth）に収束する。
【００２６】
次に、初期化期間の経過後の書込期間においては、初期化信号Ｓbが非アクティブレベル（ローレベル）に遷移する。したがって、初期化トランジスタＴintがオフ状態に変化して駆動トランジスタＴdrのダイオード接続は解除される。また、選択トランジスタＴslがオン状態に維持されたまま、データ線１３から電極Ｅ2に供給される電位Ｖrefがデータ電位Ｖdataに変更される。データ電位Ｖdataは、単位素子Ｐに指定された階調に応じた電位である。
【００２７】
駆動トランジスタＴdrのゲート電極のインピーダンスは充分に高いから、電極Ｅ2が電位Ｖrefからデータ電位Ｖdataまで変化量ΔＶ（＝Ｖref−Ｖdata）だけ変動すると、電極Ｅ1の電位は、容量素子Ｃ1における容量カップリングによって、初期化期間にて設定された電位Ｖg（＝Ｖdd−Ｖth）から変動する。このときの電極Ｅ1の電位の変化量は、容量素子Ｃ1とその他の寄生容量（例えば駆動トランジスタＴdrのゲート容量やその他の配線に寄生する容量）との容量比に応じて定まる。より具体的には、容量素子Ｃ1の容量値を「Ｃ」として寄生容量の容量値を「Ｃs」とすると、電極Ｅ1の電位の変化量は「ΔＶ・Ｃ／（Ｃ＋Ｃs）」と表現される。したがって、駆動トランジスタＴdrのゲート電位Ｖgは、書込期間の終点において以下の式（１）のレベルに設定される。
Ｖg＝Ｖdd−Ｖth−ｋ・ΔＶ    ……（１）
ただし、ｋ＝Ｃ／（Ｃ＋Ｃs）
【００２８】
次いで、書込期間の経過後の駆動期間においては、選択信号Ｓaが非アクティブレベルに遷移して選択トランジスタＴslがオフ状態に変化する。そして、駆動トランジスタＴdrのゲート電位Ｖgに応じた電流が電源線１５から駆動トランジスタＴdrのソース電極とドレイン電極とを経由して発光素子Ｅに供給される。この電流の供給によって発光素子Ｅはデータ電位Ｖdataに応じた光量で発光する。
【００２９】
いま、駆動トランジスタＴdrが飽和領域で動作する場合を想定すると、駆動期間にて発光素子Ｅに供給される電流量Ｉは以下の式（２）によって表現される。ただし、式（２）における「β」は駆動トランジスタＴdrの利得係数であり、「Ｖgs」は駆動トランジスタＴdrのゲート−ソース間の電圧である。
Ｉ＝（β／２）（Ｖgs−Ｖth）2  ……（２）
＝（β／２）（Ｖdd−Ｖg−Ｖth）2
式（１）の代入によって式（２）は以下のように変形される。
Ｉ＝（β／２）（ｋ・ΔＶ）2
すなわち、発光素子Ｅに供給される電流量Ｉは駆動トランジスタＴdrの閾値電圧Ｖthに依存しない。したがって、本実施形態によれば、各駆動トランジスタＴdrの閾値電圧Ｖthのバラツキ（設計値からの相違や他の単位素子Ｐの駆動トランジスタＴdrとの相違）に起因した発光素子Ｅの光量の誤差（輝度のムラ）を抑制することができる。
【００３０】
＜Ｂ：単位素子Ｐの具体的な構造＞
次に、図面を参照して、以上に説明した単位素子Ｐの具体的な構造を説明する。なお、以下で参照する各図面においては、説明の便宜のために、各要素の寸法や比率を実際の装置から適宜に異ならせてある。
【００３１】
＜Ｂ−１：第１実施形態＞
まず、本発明の第１実施形態に係る発光装置Ｄの単位素子Ｐの具体的な構成を説明する。図３は、ひとつの単位素子Ｐの構成を示す平面図であり、図４は、図３におけるIV−IV線からみた断面図である。なお、図３は平面図であるが、各要素の把握を容易化するために、図３と共通する要素については適宜に図３と同態様のハッチングが施されている。以下で参照する他の平面図についても同様である。
【００３２】
図４に示すように、駆動トランジスタＴdrや発光素子Ｅといった図２の各要素は基板１０の面上に形成される。基板１０は、ガラスやプラスチックなど各種の絶縁性材料からなる板状の部材である。なお、基板１０を覆う絶縁性の膜体（例えば酸化珪素や窒化珪素の膜体）を下地として基板１０の面上に単位素子Ｐの各要素を形成してもよい。また、本実施形態の発光装置Ｄはトップエミッション型である。したがって、基板１０に光透過性は要求されない。
【００３３】
図５ないし図７は、単位素子Ｐが形成される各段階における基板１０の面上の様子を示す平面図である。なお、図５ないし図７においては、図３に図示された第１電極２１が形成されるべき領域Ａが二点鎖線によって併記されている。
【００３４】
図４および図５に示すように、基板１０の面上には、半導体層３１と半導体層４１とがシリコンなどの半導体材料によって形成される。半導体層３１と半導体層４１とは、基板１０の全域にわたって連続に形成された膜体のパターニングによって同一の工程で一括的に形成される。なお、半導体層３１と半導体層４１との関係のように、複数の要素が共通の膜体（単層および複数層の何れであるかは不問である）の選択的な除去によって同一の工程で形成されることを以下では単に「同層から形成される」と表記する。同層から形成された各要素は当然に同一の材料からなり、各々の膜厚は略一致する。複数の要素が同層から形成される構成によれば、その各々が別層から形成される構成と比較して、製造工程の簡素化や製造コストの低減が実現されるという利点がある。
【００３５】
図４および図５に示すように、半導体層３１は、第１素子部３１１と第２素子部３１２とを含む。第１素子部３１１は、駆動トランジスタＴdrの半導体層として機能する略矩形状の部分である。第２素子部３１２は、初期化トランジスタＴintの半導体層として機能する部分であり、第１素子部３１１からみてＸ方向の正側かつＹ方向の負側の領域（すなわち第１素子部３１１の右上部）に形成される。さらに詳述すると、第２素子部３１２は、図５に示すように、第１素子部３１１からＹ方向の負側に連続する部分３１２aと、この部分３１２aからＸ方向の正側に延在する部分３１２bと、部分３１２bからＹ方向の正側に延在する部分３１２cとを含む。
【００３６】
半導体層４１は、半導体層３１からみてＹ方向の正側に配置された部分であり、図２の容量素子Ｃ1を構成する略矩形状の電極Ｅ2と、電極Ｅ2からＹ方向に延在する素子部４１１とを含む。素子部４１１は、選択トランジスタＴslの半導体層として機能する部分であり、電極Ｅ2からみてＸ方向の負側かつＹ方向の正側の領域（すなわち電極Ｅ2の左下部）に形成される。
【００３７】
図４に示すように、半導体層３１と半導体層４１とが形成された基板１０の表面はその全域にわたってゲート絶縁層Ｌ0に覆われる。図４および図６に示すように、ゲート絶縁層Ｌ0の面上には、選択線１１と初期化線１２と中間導電体５１と第１データ線部１３１とが導電性材料によって同層から形成される。
【００３８】
選択線１１は、複数の単位素子ＰにわたってＸ方向に延在して半導体層４１の素子部４１１と重なり合う。素子部４１１のうちゲート絶縁層Ｌ0を挟んで選択線１１に対向する領域が選択トランジスタＴslのチャネル領域である。初期化線１２は、複数の単位素子ＰにわたってＸ方向に延在して半導体層３１の第２素子部３１２と重なり合う。第２素子部３１２の部分３１２aおよび部分３１２cの各々のうちゲート絶縁層Ｌ0を挟んで初期化線１２に対向する領域が初期化トランジスタＴintのチャネル領域である。すなわち、本実施形態における初期化トランジスタＴintはデュアルゲート構造のトランジスタである。
【００３９】
中間導電体５１は、選択線１１と初期化線１２との間隙の領域に形成された部分であり、電極Ｅ1とゲート電極５１１と連結部５１３とを含む。電極Ｅ1は、基板１０に垂直な方向からみて半導体層４１の電極Ｅ2と重なり合う略矩形状の部分である。図４および図６に示すように、ゲート絶縁層Ｌ0（誘電体）を挟んで電極Ｅ1と電極Ｅ2とが対向することによって図２の容量素子Ｃ1が構成される。
【００４０】
連結部５１３は、電極Ｅ1の右上部からＹ方向の負側に延在する。ゲート電極５１１は、電極Ｅ1と間隔をあけて連結部５１３からＸ方向の負側に延在する部分であり、第１素子部３１１の略全幅（Ｘ方向の寸法）にわたって第１素子部３１１と重なり合う。図４に示すように、第１素子部３１１のうちゲート絶縁層Ｌ0を挟んでゲート電極５１１に対向する領域が駆動トランジスタＴdrのチャネル領域３１１cである。また、第１素子部３１１のうちチャネル領域３１１cよりも電極Ｅ2側の領域（すなわち、図６のように基板１０に垂直な方向からみてゲート電極５１１と電極Ｅ1との間隙に位置する領域）はソース領域３１１sであり、その反対側の領域はドレイン領域３１１dである。
【００４１】
第１データ線部１３１は、図２のデータ線１３を構成する部分である。この第１データ線部１３１は、中間導電体５１からみてＸ方向の負側の領域に配置され、選択線１１と初期化線１２との間隙にてＹ方向に延在する。
【００４２】
図８は、図６の段階にある４個の単位素子ＰがＸ方向およびＹ方向にわたって配列する様子を示す平面図である。図６および図８に示すように、各単位素子Ｐにおいて、Ｙ方向の負側の周縁に形成された第２素子部３１２（初期化トランジスタＴint）はＸ方向の正側に位置し、Ｙ方向の正側の周縁に形成された素子部４１１（選択トランジスタＴsl）はＸ方向の負側に位置する。
【００４３】
いま、第２素子部３１２と素子部４１１とが各単位素子ＰにおけるＸ方向の同じ側に配置された構成を想定する。この構成においては、第２素子部３１２と素子部４１１とを確実に離間させるために、Ｙ方向に隣接する各単位素子Ｐの間隙の領域（図８の領域Ｂに相当する領域）を充分に確保する必要があるから、単位素子Ｐの高精細化が阻害されるという問題がある。これに対し、本実施形態においては、第２素子部３１２および素子部４１１のＸ方向における位置が相違するから、図８に示すように、第２素子部３１２と素子部４１１とは領域Ｂ内にてＸ方向に沿って交互に配列する。この構成によれば、領域Ｂを狭小化した場合であっても第２素子部３１２と素子部４１１とは確実に離間するから、単位素子Ｐの高精細化が容易であるという利点がある。
【００４４】
図４に示すように、中間導電体５１や第１データ線部１３１が形成されたゲート絶縁層Ｌ0の表面はその全域にわたって第１絶縁層Ｌ1に覆われる。図４および図７に示すように、第１絶縁層Ｌ1の面上には、接続部６１と素子導通部７１と電源線１５と第２データ線部１３２とが導電性材料によって同層から形成される。
【００４５】
図７のように基板１０に垂直な方向からみると、接続部６１は、第２素子部３１２の部分３１２cにおけるＹ方向の正側の端部と中間導電体５１（ゲート電極５１１）とに重なり合う。そして、接続部６１は、第１絶縁層Ｌ1とゲート絶縁層Ｌ0とを貫通するコンタクトホールＨa1を介して部分３１２cに導通するとともに、第１絶縁層Ｌ1を貫通するコンタクトホールＨa2を介して中間導電体５１に導通する。すなわち、駆動トランジスタＴdrのゲート電極５１１（容量素子Ｃ1の電極Ｅ1）と初期化トランジスタＴintとは接続部６１を介して電気的に接続される。なお、本明細書におけるコンタクトホールとは、絶縁層の一方の側に位置する要素と絶縁層の他方の側に位置する要素とを電気的に接続するための部分であり、より具体的には絶縁層をその厚さ方向に貫通する部分（孔や穴）である。コンタクトホールの平面的な形状は任意である。
【００４６】
素子導通部７１は、駆動トランジスタＴdrと発光素子Ｅとの間に介在して両者を電気的に接続する部分であり、基板１０に垂直な方向からみると、駆動トランジスタＴdrを挟んで容量素子Ｃ1とは反対側の領域（すなわち駆動トランジスタＴdrに対してＹ方向の負側の領域）に配置される。本実施形態の素子導通部７１は、基板１０に垂直な方向からみて第１素子部３１１のドレイン領域３１１dに重なり合う部分７１１と、初期化線１２を挟んで部分７１１とは反対側に位置する部分７１２とが連続する形状である。
【００４７】
基板１０に垂直な方向からみて第１絶縁層Ｌ1のうちドレイン領域３１１dと重なり合う領域には、第１絶縁層Ｌ1とゲート絶縁層Ｌ0とを貫通する複数のコンタクトホールＨa3が形成される。これらのコンタクトホールＨa3はゲート電極５１１が延在するＸ方向（すなわち駆動トランジスタＴdrのチャネル幅の方向）に配列する。素子導通部７１の部分７１１は、各コンタクトホールＨa3を介してドレイン領域３１１dに導通する。
【００４８】
次に、図９は、図８の段階にある４個の単位素子ＰがＸ方向およびＹ方向にわたって配列する様子を示す平面図である。図７および図９に示すように、電源線１５は、複数の単位素子Ｐの配列に沿ってＸ方向に延在する帯状の配線である。この電源線１５は、基板１０に垂直な方向からみて、各単位素子Ｐの容量素子Ｃ1と駆動トランジスタＴdrのソース領域３１１sとの双方に重なり合う。図７に示すように、第１絶縁層Ｌ1のうちソース領域３１１sと重なり合う領域には、第１絶縁層Ｌ1とゲート絶縁層Ｌ0とを貫通する複数のコンタクトホールＨa4が形成される。これらのコンタクトホールＨa4はゲート電極５１１が延在するＸ方向に配列する。電源線１５は、各コンタクトホールＨa4を介して駆動トランジスタＴdrのソース領域３１１sに導通する。
【００４９】
本実施形態の電源線１５は、基板１０に垂直な方向からみて、選択トランジスタＴsl（素子部４１１）や選択線１１および初期化トランジスタＴint（第２素子部３１２）や初期化線１２と重なり合わないように、その形状や寸法が選定されている。換言すると、電源線１５は、図９に示すように、選択線１１に沿った各選択トランジスタＴslの配列と初期化線１２に沿った各初期化トランジスタＴintの配列との間隙の領域にてＸ方向に延在する。
【００５０】
第２データ線部１３２は、第１データ線部１３１と協働してデータ線１３を構成する部分であり、図７および図９に示すように各電源線１５の間隙にてＹ方向に延在する。図７に示すように、第２データ線部１３２のうちＹ方向の正側（下側）の端部１３２aは、第１データ線部１３１におけるＹ方向の負側（上側）の端部１３１a（図６参照）と重なり合う。端部１３２aと端部１３１aとは第１絶縁層Ｌ1を貫通するコンタクトホールＨa5を介して相互に導通する。同様に、第２データ線部１３２のうちＹ方向の負側の端部１３２bと第１データ線部１３１におけるＹ方向の正側の端部１３１b（図６参照）とはコンタクトホールＨa6を介して相互に導通する。以上のように、Ｙ方向に沿って交互に配列する第１データ線部１３１と第２データ線部１３２とが電気的に接続されることによって、Ｙ方向に直線状に延在するデータ線１３が構成される。
【００５１】
図７に示すように、第２データ線部１３２には分岐部１３４が連設される。分岐部１３４は、選択線１１を挟んで容量素子Ｃ1とは反対側に位置する部分であり、Ｘ方向に延在して半導体層４１の素子部４１１と重なり合う。この分岐部１３４は、第１絶縁層Ｌ1とゲート絶縁層Ｌ0とを貫通するコンタクトホールＨa7を介して素子部４１１に導通する。すなわち、選択トランジスタＴslとデータ線１３とは分岐部１３４を介して電気的に接続される。
【００５２】
図７および図９に示すように、各単位素子Ｐの容量素子Ｃ1は、そのＸ方向の正側に隣接する他の単位素子Ｐに対応したデータ線１３に隣接する。図１０は、任意のひとつの単位素子Ｐ1とそのＸ方向の正側に隣接する他の単位素子Ｐ2との近傍を拡大して示す断面図である。同図においては、単位素子Ｐ1の中間導電体５１（ここでは特に容量素子Ｃ1の電極Ｅ1）と、単位素子Ｐ2に対応したデータ線１３の第１データ線部１３１とが図示されている。
【００５３】
中間導電体５１と第１データ線部１３１とは同層から形成されて相互に近接するから、図１０に示すように、中間導電体５１の電極Ｅ1と第１データ線部１３１とは容量的に結合して両者間には容量（寄生容量）Ｃaが付随する。したがって、単位素子Ｐ1の電極Ｅ1（さらには駆動トランジスタＴdrのゲート電極５１１）の電位Ｖgは、本来ならば単位素子Ｐ1に対応したデータ線１３の電位の変動量（単位素子Ｐ1の階調に応じた電圧）のみによって設定されるべきにも拘わらず、実際には単位素子Ｐ2に対応した第１データ線部１３１の電位の変動量（単位素子Ｐ2の階調に応じた電圧）の影響も受ける。すなわち、各単位素子Ｐの駆動トランジスタＴdrにおけるゲート電位Ｖgを正確に設定できず、この結果として発光素子Ｅの光量に誤差が生じる可能性がある。
【００５４】
図７に示すように、第１データ線部１３１と電源線１５とは第１絶縁層Ｌ1を挟んで対向する。したがって、第１データ線部１３１と電源線１５との間には容量が形成される。本実施形態においては、図１０に示すように、単位素子Ｐ2の第１データ線部１３１と電源線１５との間に形成される容量Ｃbの容量値ｃ2が、この第１データ線部１３１と単位素子Ｐ1の中間導電体５１（電極Ｅ1）との間に付随する容量Ｃaの容量値ｃ1よりも大きい。この構成によれば、単位素子Ｐ2の第１データ線部１３１の電位の変動によって単位素子Ｐ1の中間導電体５１（電極Ｅ1）に与えられる影響が容量Ｃbによって低減される。したがって、各単位素子Ｐにおける駆動トランジスタＴdrのゲート電位Ｖgやこのゲート電位Ｖgに応じた発光素子Ｅの光量を高い精度で所期値に設定することができる。
【００５５】
本実施形態においては、以上の条件（ｃ2＞ｃ1）が満たされるように、第１データ線部１３１と電源線１５との距離（第１絶縁層Ｌ1の膜厚）や、単位素子Ｐ1の中間導電体５１と単位素子Ｐ2の第１データ線部１３１との間隔が選定されている。さらに詳述すると、単位素子Ｐ2の第１データ線部１３１と電源線１５との距離（第１絶縁層Ｌ1の膜厚）は、単位素子Ｐ1の中間導電体５１と単位素子Ｐ2の第１データ線部１３１との間隔よりも小さい。また、単位素子Ｐ2の第１データ線部１３１と電源線１５とが第１絶縁層Ｌ1を挟んで対向する面積（すなわち基板１０に垂直な方向からみて第１データ線部１３１と電源線１５とが重なり合う部分の面積）は、この第１データ線部１３１と単位素子Ｐ1の中間導電体５１とが対向する面積（すなわち中間導電体５１の側端面（基板１０に垂直な側面）のうち第１データ線部１３１の側端面に対向する領域の面積）よりも大きい。以上のように各部の寸法や間隔を選定することによって容量値ｃ2を容量値ｃ1よりも大きくすることができる。
【００５６】
ただし、データ線１３のデータ電位Ｖdataに応じて駆動トランジスタＴdrのゲート電位Ｖgを正確に設定するためには、任意の単位素子Ｐ2における容量Ｃbの容量値ｃ2が、その単位素子Ｐ2の容量素子Ｃ1の容量値Ｃ（ゲート電極５１１に容量Ｃsが寄生する場合には容量素子Ｃ1と寄生容量Ｃsとの合成容量）よりも小さいことが望ましい。この条件を満たすために、例えば、第１データ線部１３１と電源線１５との間隙は、容量素子Ｃ1における電極Ｅ1と電極Ｅ2との間隙よりも大きい寸法に選定される。さらに詳述すると、第１データ線部１３１と電源線１５との間に介在する第１絶縁層Ｌ1（すなわち容量Ｃbの誘電体）の膜厚は、電極Ｅ1と電極Ｅ2との間に介在するゲート絶縁層Ｌ0（容量素子Ｃ1の誘電体）の膜厚よりも大きい寸法に選定される。また、電極Ｅ1と電極Ｅ2との対向する面積（すなわち容量素子Ｃ1の面積）が第１データ線部１３１と電源線１５との対向する面積よりも大面積とされた構成によっても、容量Ｃbの容量値ｃ2は容量素子Ｃ1の容量値Ｃよりも小さくなる。
【００５７】
さて、図４に示すように、第２データ線部１３２や電源線１５が形成された第１絶縁層Ｌ1の表面はその全域にわたって第２絶縁層Ｌ2に覆われる。図３および図４に示すように、第２絶縁層Ｌ2の表面には第１電極２１が形成される。第１電極２１は、基板１０に垂直な方向からみて素子導通部７１や駆動トランジスタＴdrや容量素子Ｃ1と重なり合う略矩形状の電極である。本実施形態の第１電極２１は、アルミニウムや銀などの金属またはこれらの金属を主成分とする合金など光反射性の導電性材料によって形成される。この第１電極２１は、第２絶縁層Ｌ2を貫通するコンタクトホールＨa8を介して素子導通部７１の部分７１２に導通する。すなわち、駆動トランジスタＴdrのドレイン領域３１１dと発光素子Ｅの第１電極２１とは素子導通部７１を介して電気的に接続される。
【００５８】
第１電極２１が形成された第２絶縁層Ｌ2の面上には、各単位素子Ｐの境界を仕切る形状（格子状）の隔壁２５が形成される。この隔壁２５は、相隣接する第１電極２１を電気的に絶縁させる役割（すなわち第１電極２１の電位の個別的な制御を可能とする役割）を担う。各発光素子Ｅの発光層２３は、隔壁２５の内周面に包囲されて第１電極２１を底面とする窪みに形成される。なお、発光層２３による発光を促進または効率化するための各種の機能層（正孔注入層、正孔輸送層、電子注入層、電子輸送層、正孔ブロック層、電子ブロック層）が発光層２３に積層された構成としてもよい。
【００５９】
図４に示すように、第２電極２２は、複数の単位素子Ｐにわたって連続に形成されて発光層２３および隔壁２５を覆う電極である。したがって、隔壁２５は、各発光素子Ｅの間隙の領域において各第１電極２１と第２電極２２とを電気的に絶縁する。換言すると、隔壁２５は、第１電極２１と第２電極２２との間に電流が流れる領域（すなわち実際に発光する領域）を画定する。第２電極２２は、ＩＴＯ（Indium Tin Oxide）やＩＺＯ（Indium Zinc Oxide）といった光透過性の導電性材料によって形成される。したがって、発光層２３から基板１０とは反対側に出射した光と発光層２３から基板１０側に出射して第１電極２１の表面で反射した光とは第２電極２２を透過して出射する。すなわち、本実施形態の発光装置Ｄはトップエミッション型である。
【００６０】
第２電極２２はその全域にわたって封止材（図示略）に覆われる。この封止材は、第２電極２２を保護する第１層と、第２電極２２の表面の段差を平坦化する第２層と、第２電極２２や発光層２３への不純物（例えば水分）の浸入を防止する第３層（バリア層）とが第２電極２２側からこの順番に積層された構造となっている。
【００６１】
以上に説明したように、本実施形態においては、駆動トランジスタＴdrを挟んで容量素子Ｃ1とは反対側の領域に素子導通部７１が配置される。この構成によれば、容量素子Ｃ1に要求される容量値を低減できるという効果が奏される。この効果について詳述すると以下の通りである。
【００６２】
いま、基板１０に垂直な方向からみて駆動トランジスタＴdrと容量素子Ｃ1との間隙に素子導通部７１が配置された構成（以下「構成１」という）を想定する。この構成１においては、容量素子Ｃ1の電極Ｅ1と素子導通部７１とが第１絶縁層Ｌ1を挟んで近接する。したがって、図１１に破線で図示されるように、電極Ｅ1と素子導通部７１（第１電極２１）との間には容量Ｃxが付随する。
【００６３】
書込期間において電極Ｅ1の電位は「ΔＶ・Ｃ／（Ｃ＋Ｃs）」だけ変化する。構成１における容量値Ｃsは、電極Ｅ1と素子導通部７１とが容量的に結合しない場合と比較して容量Ｃxの分だけ増大するから、データ線１３の電位の変動量ΔＶに対する駆動トランジスタＴdrのゲート電位Ｖgの変動量は制限される。したがって、ゲート電位Ｖgを変動量ΔＶに応じて広範囲に変動させるためには（すなわち発光素子Ｅの光量の範囲を充分に確保するためには）、ゲート絶縁層Ｌ0の膜厚の低減や電極Ｅ1および電極Ｅ2の面積の増大といった方策によって、容量素子Ｃ1に充分な容量値Ｃを確保する必要がある。ゲート絶縁層Ｌ0の膜厚を低減するには限界があるから、構成１においては結局のところ電極Ｅ1や電極Ｅ2の面積を増大させる必要がある。しかしながら、容量素子Ｃ1の面積を増大した場合には単位素子Ｐの高精細化が制限されるという問題がある。
【００６４】
なお、第１絶縁層Ｌ1を充分な膜厚に形成することで電極Ｅ1と素子導通部７１とを離間させれば、構成１においても容量Ｃxは低減される。しかしながら、第１絶縁層Ｌ1を厚く形成すると、クラックなど成膜の不良が発生し易くなるという問題や、コンタクトホールの不良（例えば第１絶縁層Ｌ1のうちコンタクトホールの部分が完全に除去されないといった不良）に起因して各要素が完全には導通されないといった問題が生じ得るから、この方法による容量Ｃxの低減には限界がある。
【００６５】
これに対し、本実施形態においては、駆動トランジスタＴdrを挟んで容量素子Ｃ1とは反対側の領域に素子導通部７１が配置されるから、電極Ｅ1と素子導通部７１とに付随する容量Ｃxは構成１と比較して充分に低減される。したがって、容量素子Ｃ1の面積を構成１ほど増大させなくても、駆動トランジスタＴdrのゲート電極５１１のゲート電位Ｖg（さらには発光素子Ｅの光量）を広範囲にわたって変化させることができる。
【００６６】
また、本実施形態においては、電源線１５と同層から形成される素子導通部７１および接続部６１の双方が、基板１０に垂直な方向からみて駆動トランジスタＴdrのＹ方向の負側（すなわち電源線１５の幅方向の一方の側）に位置する。この構成によれば、第１絶縁層Ｌ1の表面のうち駆動トランジスタＴdrに対してＹ方向の正側（電源線１５の幅方向の他方の側）に、電源線１５が形成されるスペースを充分に確保することが可能である。したがって、電源線１５を幅広に形成してその抵抗を低減できるという効果が奏される。特に、本実施形態においては、容量素子Ｃ1と重なり合うように電源線１５が形成されるから、例えば電源線１５が駆動トランジスタＴdrのソース領域３１sのみと重なり合う構成と比較して、電源線１５の抵抗は大幅に低減される。そして、この低抵抗化によって電源線１５の面内における電圧降下が抑制されるから、各単位素子Ｐに供給される電源電位Ｖddのバラツキやこれに起因した各発光素子Ｅの光量のバラツキを低減できる。
【００６７】
また、例えば素子導通部７１や接続部６１が駆動トランジスタＴdrと容量素子Ｃ1との間隙に配置された構成においては、素子導通部７１や接続部６１を避ける形状に電源線１５を形成する必要がある。しかしながら、このように電源線１５の形状を複雑化すると、製造技術上の理由から電源線１５の断線や損傷が発生し易いという問題がある。これに対し、本実施形態によれば、駆動トランジスタＴrを挟んで素子導通部７１や接続部６１とは反対側に電源線１５のスペースが確保されるから、図７に例示したように電源線１５を単純な帯状の形状とすることが可能である。この結果として電源線１５の断線や破損が抑制されるから、本実施形態によれば発光装置Ｄの歩留まりを向上することも可能である。
【００６８】
ところで、電源線１５の低抵抗化という観点のみからすれば、駆動トランジスタＴdrや容量素子Ｃ1だけでなく選択トランジスタＴslや初期化トランジスタＴintにも電源線１５が重なり合う構成（以下「構成２」という）としてもよい。しかしながら、この構成２においては、選択トランジスタＴslや選択線１１が電源線１５と容量的に結合し（すなわち両者間に容量が寄生し）、この容量に起因して選択信号Ｓaに波形の鈍りが発生し易いという問題がある。同様に、初期化トランジスタＴintや初期化線１２と電源線１５との間に付随する容量も、初期化信号Ｓbの波形の鈍りの原因となり得る。したがって、構成２においては、選択トランジスタＴslや初期化トランジスタＴintのスイッチングが遅延するという問題がある。
【００６９】
これに対し、本実施形態においては、基板１０に垂直な方向からみて、選択トランジスタＴslや選択線１１および初期化トランジスタＴintや初期化線１２には電源線１５が重なり合わないから、これらの要素と電源線１５との間に寄生する容量は構成２と比較して低減される。したがって、本実施形態によれば、選択信号Ｓaや初期化信号Ｓbの波形の鈍りを抑制して選択トランジスタＴslや初期化トランジスタＴintを高速に動作させることができる。
【００７０】
＜Ｂ−２：第２実施形態＞
次に、本発明の第２実施形態における単位素子Ｐの具体的な構成を説明する。図１２は、本実施形態における単位素子Ｐの構成を示す平面図であり、図１３ないし図１５は、単位素子Ｐが形成される各段階における基板１０の面上の様子を示す平面図である。なお、以下に示す各形態において、第１実施形態と共通する要素には同一の符号を付してその説明を適宜に省略する。
【００７１】
図１３に示すように、基板１０の面上には半導体層３２と半導体層４２と半導体層４５とが半導体材料によって同層から形成される。半導体層３２は、駆動トランジスタＴdrを構成する略矩形状の部分である。半導体層４２は、半導体層３２からみてＹ方向の正側に形成された部分であり、略矩形状の電極Ｅ2と、電極Ｅ2の左下部からＸ方向に延在する素子部４２１とを含む。素子部４２１は、選択トランジスタＴslの半導体層として機能する部分である。半導体層４５は、初期化トランジスタＴintを構成する部分であり、半導体層４２を挟んで半導体層３２とは反対側の領域にてＸ方向に延在する。
【００７２】
以上の各部が形成された基板１０の表面はゲート絶縁層Ｌ0に覆われる。図１４に示すように、ゲート絶縁層Ｌ0の面上には、第１データ線部１３１と選択線１１および初期化線１２と中間導電体５２と第１中継配線部１７１とが同層から形成される。第１データ線部１３１は、第１実施形態と同様にデータ線１３を構成する部分であり、中間導電体５２からみてＸ方向の正側の領域にてＹ方向に延在する。
【００７３】
初期化線１２は、Ｘ方向に延在する部分からＹ方向の負側に分岐して半導体層４５に重なり合う第１ゲート電極１２１と第２ゲート電極１２２とを有する。半導体層４５のうち第１ゲート電極１２１および第２ゲート電極１２２の各々と重なり合う部分が初期化トランジスタＴintのチャネル領域である。同様に、選択線１１は、Ｘ方向に延在する部分からＹ方向の負側に分岐して半導体層４２の素子部４２１に重なり合う第１ゲート電極１１１と第２ゲート電極１１２とを有する。第１ゲート電極１１１と第２ゲート電極１１２とは間隔をあけてＸ方向に隣接する。素子部４２１のうちゲート絶縁層Ｌ0を挟んで第１ゲート電極１１１および第２ゲート電極１１２の各々と重なり合う部分が選択トランジスタＴslのチャネル領域である。以上のように、本実施形態の選択トランジスタＴslおよび初期化トランジスタＴintは、デュアルゲート構造の薄膜トランジスタである。
【００７４】
中間導電体５２は、電極Ｅ2に対向して容量素子Ｃ1を構成する電極Ｅ1と、電極Ｅ1からＹ方向の負側に連続するゲート電極５２１と、電極Ｅ1のうちＸ方向における略中央からＹ方向の正側に突出する接続部５２３とを含む。ゲート電極５２１は、半導体層３２のＹ方向に沿った全寸法にわたって半導体層３２と重なり合うようにＹ方向に延在する。図１４に示すように、半導体層３２のうちゲート絶縁層Ｌ0を挟んでゲート電極５２１に対向する領域が駆動トランジスタＴdrのチャネル領域３２cである。また、チャネル領域３２cを挟んでＸ方向の負側の領域はドレイン領域３２dであり、その反対側の領域はソース領域３２sである。
【００７５】
第１中継配線部１７１は、初期化トランジスタＴintと駆動トランジスタＴdrのドレイン領域３２dとを電気的に接続するための配線（以下「中継配線」という）を構成する部分であり、中間導電体５２からみてＸ方向の負側の領域にてＹ方向に延在する。すなわち、本実施形態における中間導電体５２は第１データ線部１３１と第１中継配線部１７１との間隙に配置される。
【００７６】
以上の各部が形成されたゲート絶縁層Ｌ0の表面はその全域にわたって第１絶縁層Ｌ1に覆われる。図１２および図１５に示すように、第１絶縁層Ｌ1の面上には、第２データ線部１３２と接続部６２と第２中継配線部１７２と素子導通部７２と電源線１５とが形成される。
【００７７】
第２データ線部１３２は、第１実施形態と同様に、第１データ線部１３１と協働してデータ線１３を構成する配線である。すなわち、第２データ線部１３２は、コンタクトホールＨb1を介して第１データ線部１３１の上端部１３１a（図１４参照）に導通する端部１３２aからＹ方向に延在して端部１３２bに至る。端部１３２bは、コンタクトホールＨb2を介して第１データ線部１３１の下端部１３１b（図１４参照）に導通する。また、本実施形態の第２データ線部１３２は、第１絶縁層Ｌ1とゲート絶縁層Ｌ0とを貫通するコンタクトホールＨb3を介して素子部４２１の端部に導通する。すなわち、データ線１３と選択トランジスタＴslとはコンタクトホールＨb3を介して電気的に接続される。
【００７８】
図１４および図１５に示すように、接続部６２は、中間導電体５２の接続部５２３と半導体層４５のＸ方向における正側の端部４５１とに重なり合うようにＹ方向に延在する。接続部６２は、第１絶縁層Ｌ1を貫通するコンタクトホールＨb4を介して接続部５２３（電極Ｅ1やゲート電極５２１））に導通するとともに、第１絶縁層Ｌ1とゲート絶縁層Ｌ0とを貫通するコンタクトホールＨb5を介して半導体層４５の端部４５１に導通する。すなわち、容量素子Ｃ1の電極Ｅ1（さらには駆動トランジスタＴdrのゲート電極５２１）と初期化トランジスタＴintとは接続部６２を介して電気的に接続される。
【００７９】
図１５のように基板１０に垂直な方向からみると、接続部６２は、選択トランジスタＴslの第１ゲート電極１１１と第２ゲート電極１１２との間隙の領域内に位置する。したがって、接続部６２は第１ゲート電極１１１や第２ゲート電極１１２と重なり合わない。ここで、例えば第１ゲート電極１１１（または第２ゲート電極１１２）と接続部６２とが重なり合う構成においては、両者が容量的に結合する。したがって、接続部６２の電位（すなわち電極Ｅ1や駆動トランジスタＴdrのゲート電極５１１の電位）の変動に伴なって第１ゲート電極１１１の電位も変化し、この結果として初期化信号Ｓbの波形が鈍る場合がある。初期化信号Ｓbの波形の鈍りは初期化トランジスタＴintの動作の動作の遅延の原因となる。
【００８０】
これに対し、本実施形態においては、第１ゲート電極１１１や第２ゲート電極１１２とは重なり合わないように接続部６２が形成されるから、接続部６２と第１ゲート電極１１１や第２ゲート電極１１２との間の容量的な結合は抑制される。したがって、接続部６２の電位の変動が初期化トランジスタＴintに与える影響が低減され、この結果として初期化トランジスタＴintを高速に動作させることが可能となる。
【００８１】
また、以上のように初期化トランジスタＴintと容量素子Ｃ1の電極Ｅ1とが接続部６２を介して導通する構成によれば、選択トランジスタＴslや初期化トランジスタＴintのチャネル長を充分に確保できるから、チャネル長が制限される構成と比較して選択トランジスタＴslや初期化トランジスタＴintにおける電流のリークを抑制することが可能である。選択トランジスタＴslや初期化トランジスタＴintは駆動トランジスタＴdrのゲート電極５２１に接続されるから、各々における電流のリークの削減によって、駆動期間におけるゲート電極５２１の電位の変動が抑制される。したがって、本実施形態によれば、発光素子Ｅの光量を高い精度で所期値に維持することが可能である。
【００８２】
図１５の素子導通部７２は、第１実施形態の素子導通部７１と同様に駆動トランジスタＴdrのドレイン電極と発光素子Ｅの第１電極２１との間に介在して両者を電気的に接続する部分である。この素子導通部７２は、Ｙ方向に延在する部分７２１と、駆動トランジスタＴdrを挟んで容量素子Ｃ1とは反対側に位置する部分７２２とが連続する形状（略Ｌ字状）である。部分７２１は、第１中継配線部１７１の端部１７１a（図１４参照）と半導体層３２のドレイン領域３２dとに重なり合う。部分７２１は、第１絶縁層Ｌ1を貫通するコンタクトホールＨb6を介して上端部１７１aに導通する。
【００８３】
第１絶縁層Ｌ1のうちドレイン領域３２dと重なり合う領域には、第１絶縁層Ｌ1とゲート絶縁層Ｌ0とを貫通する複数（ここでは２個）のコンタクトホールＨb7が形成される。これらのコンタクトホールＨb7はゲート電極５２１が延在するＹ方向（すなわち駆動トランジスタＴdrのチャネル幅の方向）に配列する。素子導通部７２の部分７２１は、各コンタクトホールＨb7を介してドレイン領域３２dに導通する。
【００８４】
第２中継配線部１７２は、図１４および図１５に示すように、半導体層４５におけるＸ方向の負側の端部４５２と第１中継配線部１７１とに重なり合うようにＹ方向に延在する配線である。この第２中継配線部１７２は、第１絶縁層Ｌ1とゲート絶縁層Ｌ0とを貫通するコンタクトホールＨb8を介して端部４５２に導通するとともに、第１絶縁層Ｌ1を貫通するコンタクトホールＨb9を介して第１中継配線部１７１の下端部１７１bに導通する。以上のように、初期化トランジスタＴintと駆動トランジスタＴdrのドレイン領域３２d（さらには素子導通部７２）とは、第１中継配線部１７１と第２中継配線部１７２とから構成される中継配線１７を介して電気的に接続される。
【００８５】
図１６は、図１５の段階にある４個の単位素子ＰがＸ方向およびＹ方向にわたって配列する様子を示す平面図である。図１５および図１６に示すように、本実施形態における電源線１５は、複数の単位素子ＰにわたってＸ方向に延在する第１部分１５１と、複数の単位素子ＰにわたってＹ方向に延在する第２部分１５２とが交差する形状（格子状）の配線である。
【００８６】
図１５に示すように、第１絶縁層Ｌ1のうち半導体層３２のソース領域３２sと重なり合う領域には、第１絶縁層Ｌ1とゲート絶縁層Ｌ0とを貫通する複数（ここでは２個）のコンタクトホールＨb10が形成される。これらのコンタクトホールＨb10はゲート電極５２１が延在するＹ方向に配列する。電源線１５（第２部分１５２）は、各コンタクトホールＨb10を介してソース領域３２sに導通する。
【００８７】
第１部分１５１は、各第２データ線部１３２の間隙の領域と、第２中継配線部１７２および素子導通部７２（部分７２１）の間隙の領域とを通過するようにＸ方向に延在する。したがって、図１５や図１６のように基板１０に垂直な方向からみると、第１部分１５１は、第１データ線部１３１と第１中継配線部１７１と容量素子Ｃ1とに重なり合う。また、第２部分１５２は、素子導通部７２（部分７２２）および第２データ線部１３２の間隙の領域と、接続部６２および第２データ線部１３２の間隙の領域とを通過するようにＹ方向に延在する。図１５や図１６に示すように、電源線１５は、選択トランジスタＴslや初期化トランジスタＴintに重なり合わない。
【００８８】
以上の各要素が形成された第１絶縁層Ｌ1の表面はその全域にわたって第２絶縁層Ｌ2に覆われる。図１２に示すように、発光素子Ｅやその間隙を仕切る隔壁２５は第２絶縁層Ｌ2の面上に形成される。素子導通部７２の部分７２２は、第１実施形態と同様に、第２絶縁層Ｌ2を貫通するコンタクトホールＨb11を介して第１電極２１に導通する。図１２に示すように、発光素子Ｅや隔壁２５の具体的な構成は第１実施形態と同様である。
【００８９】
以上に説明したように、本実施形態においては、駆動トランジスタＴdrを挟んで容量素子Ｃ1とは反対側に素子導通部７２が配置される。したがって、第１実施形態と同様に、電極Ｅ1と素子導通部７２とに寄生する容量（図１１の容量Ｃx）が削減され、この結果として容量素子Ｃ1の容量値を削減することができる。また、選択トランジスタＴslや初期化トランジスタＴintと重なり合わないように電源線１５が形成されるから、第１実施形態と同様に、選択トランジスタＴslや初期化トランジスタＴintを所期のタイミングにて高速に動作させることができる。
【００９０】
また、本実施形態においては、素子導通部７２や接続部６２や第２中継配線部１７２が電源線１５と同層から形成され、かつ、駆動トランジスタＴdrを挟んでＸ方向の負側（すなわち電源線１５の幅方向の一方の側）に素子導通部７２が配置されるとともにその反対側（電源線１５の幅方向における他方の側）に接続部６２や第２中継配線部１７２が配置される。したがって、素子導通部７２と接続部６２（第２中継配線部１７２）との間隙に、電源線１５のうちＸ方向に延在する第１部分１５１が形成されるべきスペースを充分に確保することが可能である。さらに、基板１０に垂直な方向からみて容量素子Ｃ1と重なり合うスペースも電源線１５の形成に利用できる。したがって、第１実施形態と同様に、電源線１５（第１部分１５１）を幅広に形成してその抵抗を低減できるという効果が奏される。
【００９１】
しかも、本実施形態においては、Ｙ方向に延在する第２部分１５２によって各第１部分１５１が連結されるから、電源線１５が第１部分１５１のみから構成される場合と比較して、電源線１５の抵抗をいっそう低減することができる。また、電源線１５の第１部分１５１の形状が単純な帯状とされるから、電源線１５と同層から形成される要素（素子導通部７２や接続部６２）を避けるように電源線１５が複雑な形状に形成された構成と比較して、電源線１５の断線や破損を抑制することができる。
【００９２】
また、本実施形態においては、各単位素子ＰにおけるＸ方向の正側の周縁に沿ってデータ線１３が延在するとともにＸ方向の負側の周縁に沿って中継配線１７が延在する。この構成において、例えば図１６に示すように任意のひとつの単位素子Ｐ1とそのＸ方向の負側に隣接する他の単位素子Ｐ2とに着目すると、単位素子Ｐ1の容量素子Ｃ1と単位素子Ｐ2に対応したデータ線１３との間には単位素子Ｐ1の中継配線１７が介在する。したがって、ひとつの単位素子Ｐの容量素子Ｃ1とこれに隣接する単位素子Ｐのデータ線１３とが近接する第１実施形態の構成と比較して、単位素子Ｐ1の容量素子Ｃ1と単位素子Ｐ2のデータ線１３との間に形成される容量は低減される。この構成によれば、単位素子Ｐ2のデータ線１３の電位の変動が単位素子Ｐ1の容量素子Ｃ1に与える影響が低減されるから、各単位素子Ｐにおける駆動トランジスタＴdrのゲート電位Ｖgやこのゲート電位Ｖgに応じた発光素子Ｅの光量を高い精度で所期値に設定することができる。
【００９３】
＜第２実施形態の変形例＞
次に、以上に説明した第２実施形態の変形例を説明する。図１７は、本変形例において第１絶縁層Ｌ1が形成された段階（図１４の段階）を示す平面図である。第２実施形態においては、駆動トランジスタＴdrのゲート電極５２１がＹ方向に延在する構成を例示した。これに対し、本変形例においては、図１７に示すようにゲート電極５２１がＸ方向に延在する。なお、本変形例のうち第２実施形態と同様の要素については共通の符号を付してその説明を適宜に省略する。
【００９４】
図１７に示すように、本実施形態の中間導電体５２は、電極Ｅ1の左上部からＹ方向の負側に延在する連結部５２５と、この連結部５２５からＸ方向に延在して半導体層３２と重なり合うゲート電極５２１とを含む。ゲート電極５２１は、半導体層３２のＸ方向における全寸法にわたってＸ方向に延在する。半導体層３２のうちゲート絶縁層Ｌ0を挟んでゲート電極５２１に対向する領域が駆動トランジスタＴdrのチャネル領域３２cである。また、チャネル領域３２cを挟んで電極Ｅ1側の領域がソース領域３２sであり、その反対側の領域がドレイン領域３２dである。
【００９５】
図１８は、図１７の段階からさらに電源線１５や素子導通部７２が形成された段階（図１５の段階）を示す平面図である。図１８に示すように、素子導通部７２は、駆動トランジスタＴdrを挟んで容量素子Ｃ1とは反対側の領域に略矩形状に形成される。図１７および図１８に示すように、素子導通部７２は、ゲート電極５１１が延在するＸ方向（すなわち駆動トランジスタＴdrのチャネル長の方向）に配列する複数のコンタクトホールＨb7を介してドレイン領域３２dに導通する。また、電源線１５は、ゲート電極５１１に沿ってＸ方向に配列する複数のコンタクトホールＨb10を介してソース領域３２sに導通する。
【００９６】
以上に説明したように駆動トランジスタＴdrのゲート電極５２１はＸ方向に延在するから、ドレイン領域３２dは、ゲート電極５２１を挟んで容量素子Ｃ1とは反対側の領域に、Ｘ方向に沿って長尺状に形成される。この構成においては、駆動トランジスタＴdrに沿ってＹ方向に延在する部分（第１実施形態の部分７２１）を素子導通部７２に形成する必要がない。したがって、本変形例によれば、図１８と図１５との対比から理解されるように、電源線１５のうちゲート電極５２１の方向に延在する第１部分１５１を、第２実施形態よりも幅広に形成できるという利点がある。
【００９７】
また、本変形例においては、各コンタクトホールＨb7とコンタクトホールＨb6（中継配線１７と素子導通部７２とが導通する部分）とコンタクトホールＨb1（第１データ線部１３１と第２データ線部１３２とが導通する部分）とがＸ方向に沿って直線状に配列する。したがって、各コンタクトホール（Ｈb7・Ｈb6・Ｈb1）のＹ方向における位置が相違する構成と比較して、Ｘ方向に沿って直線状（帯状）に延在する第１部分１５１の線幅を充分に確保することができる。
【００９８】
ところで、第２実施形態においては、電源線１５の第１部分１５１と直交する方向にゲート電極５２１が延在する。したがって、ゲート電極５２１の長さ（より厳密には素子導通部７２の部分７２１の長さ）が増加するほど第１部分１５１の線幅は縮小される。これに対し、本変形例においては、第１部分１５１と平行な方向にゲート電極５２１が延在するから、第１部分１５１の線幅を縮小することなくゲート電極５２１の長さを増加させることができる。ゲート電極５２１の長さは駆動トランジスタＴdrのチャネル幅に相当するから、本変形例によれば、第１部分１５１の線幅を維持しながら駆動トランジスタＴdrのチャネル幅を増大させることができる。このようにチャネル幅が大きい駆動トランジスタＴdrによれば、電源線１５から駆動トランジスタＴdrを経由して発光素子Ｅに供給される電流量を充分に確保できるという利点がある。
【００９９】
＜Ｃ：変形例＞
以上の形態には様々な変形が加えられる。具体的な変形の態様を例示すれば以下の通りである。なお、以下の各態様を適宜に組み合わせてもよい。
【０１００】
＜Ｃ−１：変形例１＞
以上の各形態における単位素子Ｐの電気的な構成は適宜に変更される。本発明に適用される単位素子Ｐの具体的な態様を以下に例示する。
【０１０１】
（１）図１９に示すように、駆動トランジスタＴdrと発光素子Ｅとの間にトランジスタ（以下「発光制御トランジスタ」という）Ｔcntが介在する構成としてもよい。この発光制御トランジスタＴcntは、駆動トランジスタＴdrのドレイン電極と発光素子Ｅの第１電極２１との電気的な接続を、発光制御線１４に供給される発光制御信号Ｓcに応じて制御するスイッチング素子である。発光制御トランジスタＴcntがオン状態に変化すると電源線１５から発光素子Ｅへの電流の経路が形成されて発光素子Ｅの発光が許可され、発光制御トランジスタＴcntがオフ状態に変化するとこの経路が遮断されて発光素子Ｅの発光が禁止される。したがって、この構成によれば、初期化期間や書込期間を除外した駆動期間のみにおいて発光制御トランジスタＴcntをオン状態として発光素子Ｅを発光させるといった具合に、発光素子Ｅが実際に発光する期間を正確に規定することができる。
【０１０２】
第１実施形態および第２実施形態の各々において、発光制御トランジスタＴcntは、例えば駆動トランジスタＴdrを挟んで容量素子Ｃ1とは反対側（すなわちＹ方向の負側）に配置される。この態様によれば、例えば発光制御トランジスタＴcntが駆動トランジスタＴdrと容量素子Ｃ1との間隙の領域に配置された構成と比較して、電源線１５を駆動トランジスタＴdrおよび容量素子Ｃ1の双方と重なり合うように幅広に形成できるという利点がある。
【０１０３】
（２）図２０に示すように、駆動トランジスタＴdrのゲート電極とソース電極（電源線１５）との間に容量素子Ｃ2が介挿された構成としてもよい。この構成によれば、書込期間にて設定された駆動トランジスタＴdrのゲート電位Ｖgを駆動期間にて容量素子Ｃ2に保持できるという利点がある。もっとも、駆動トランジスタＴdrのゲート電極の面積（チャネル領域の面積）が充分に確保される構成においては、この駆動トランジスタＴdrのゲート容量によってゲート電位Ｖgが保持される。したがって、第１実施形態および第２実施形態のように容量素子Ｃ2が配置されない構成であっても、駆動期間にてゲート電位Ｖgを保持することは可能である。
【０１０４】
（３）図２１に示す構成の単位素子Ｐも採用される。この単位素子Ｐにおいては、以上の各形態における容量素子Ｃ1や初期化トランジスタＴint（初期化線１２）が形成されず、駆動トランジスタＴdrのゲート電極とデータ線１３との電気的な接続が選択トランジスタＴslによって制御される。また、駆動トランジスタＴdrのゲート電極とソース電極（電源線１５）との間には容量素子Ｃ2が介在する。
【０１０５】
この構成において選択トランジスタＴslがオン状態に変化すると、発光素子Ｅに指定された階調に応じたデータ電位Ｖdataがデータ線１３から選択トランジスタＴslを経由して駆動トランジスタＴdrのゲート電極に供給される。このときに容量素子Ｃ2にはデータ電位Ｖdataに応じた電荷が蓄積されるから、選択トランジスタＴslがオフ状態に変化しても、駆動トランジスタＴdrのゲート電位Ｖgはデータ電位Ｖdataに維持される。したがって、発光素子Ｅには、駆動トランジスタＴdrのゲート電位Ｖgに応じた電流（データ電位Ｖdataに応じた電流）が継続的に供給される。この電流の供給によって発光素子Ｅはデータ電位Ｖdataに応じた輝度で発光する。
【０１０６】
図２１の容量素子Ｃ2は、例えば以上の各形態における容量素子Ｃ1と同様の態様で基板１０の面上に配置される。この形態によっても第１実施形態から第２実施形態と同様の作用および効果が奏される。以上のように、駆動トランジスタＴdrのゲート電極に接続される容量素子は、容量カップリングによって駆動トランジスタＴdrのゲート電位Ｖgを設定するための容量素子Ｃ1であってもよいし、データ線１３から駆動トランジスタＴdrのゲート電極に供給されるデータ電位Ｖdataを保持するための容量素子Ｃ2であってもよい。
【０１０７】
＜Ｃ−２：変形例２＞
以上の形態においては第１電極２１が光反射性の材料によって形成された構成を例示したが、発光層２３から基板１０側への出射光が第１電極２１とは別個の反射層によって基板１０とは反対側に反射される構成としてもよい。この構成においては、光反射性の材料によって第１絶縁層Ｌ1の面上に反射層が形成され、この反射層を覆うように第１電極２１が形成される。第１電極２１は、ＩＴＯやＩＺＯなどの光透過性の導電性材料によって形成される。また、以上の形態においては第２電極２２が光透過性の材料によって形成された構成を例示したが、遮光性または光反射性を有する導電性材料を充分に薄く形成した電極が第２電極２２とされた構成によっても発光層２３からの放射光を透過させることができる。
【０１０８】
もっとも、発光層２３からの出射光が基板１０を透過して出射するボトムエミッション型の発光装置にも本発明は適用される。この構成においては、例えば、光反射性の導電性材料によって第２電極２２が形成されるとともに光透過性の導電性材料によって第１電極２１が形成される。そして、発光層２３から基板１０側への出射光と、発光層２３から基板１０とは反対側に出射して第２電極２２の表面にて反射した光とが、第１電極２１および基板１０を透過して出射する。
【０１０９】
＜Ｃ−３：変形例３＞
第１実施形態や第２実施形態においては電源線１５が選択トランジスタＴslおよび初期化トランジスタＴintの何れにも重なり合わない構成を例示したが、電源線１５が選択トランジスタＴslと重なり合う構成や電源線１５が初期化トランジスタＴintと重なり合う構成も採用される。
【０１１０】
＜Ｃ−４：変形例４＞
第２実施形態においては、接続部６２が選択トランジスタＴslの第１ゲート電極１１１と第２ゲート電極１１２との間隙の領域に形成される構成を例示した。これと同様に、電源線１５の第２部分１５２が初期化トランジスタＴintの第１ゲート電極１２１と第２ゲート電極１２２との間隙の領域に形成されてもよい。
【０１１１】
＜Ｃ−５：変形例５＞
第１実施形態においては、電源線１５がＸ方向に延在する部分（本発明における「第１部分」）のみを含む構成を例示したが、第２実施形態のように、これらの部分の各々を相互に連結するようにＹ方向に延在する部分（以下「第２部分」という）を電源線１５が含む構成としてもよい。この第２部分は、例えば、図７に図示された接続部６１と素子導通部７１との間隙の領域や各単位素子Ｐの間隙の領域にてＹ方向に延在し、Ｙ方向に隣接する各電源線１５（第１部分）を相互に連結する。この構成によれば、第１実施形態と比較して電源線１５の抵抗を低減することが可能である。
【０１１２】
＜Ｃ−６：変形例６＞
以上の各形態においては、隔壁２５の内周縁の内側の領域のみに発光層２３が形成された構成を例示したが、基板１０の全面（より詳細には第２絶縁層Ｌ2の全面）にわたって発光層２３が連続に形成された構成としてもよい。この構成によれば、例えば、スピンコート法などの低廉な成膜技術を発光層２３の形成に採用できるという利点がある。なお、第１電極２１は発光素子Ｅごとに個別に形成されるから、発光層２３が複数の発光素子Ｅにわたって連続するとは言っても、発光層２３の光量は発光素子Ｅごとに個別に制御される。以上のように発光層２３が複数の発光素子Ｅにわたって連続する構成においては隔壁２５を省略してもよい。
【０１１３】
なお、隔壁２５で仕切られた各空間に発光材料の液滴を吐出するインクジェット法（液滴吐出法）で発光層２３を形成する場合には、以上の各形態のように第２絶縁層Ｌ2の面上に隔壁２５を配置した構成が好適に採用される。ただし、発光層２３を発光素子Ｅごとに形成するための方法は適宜に変更される。より具体的には、基板１０の全域に形成された発光材料の膜体を選択的に除去する方法や、レーザ転写（LITI: Laser-Induced Thermal Imaging）法など各種のパターニング技術によっても発光層２３は発光素子Ｅごとに形成される。この場合には、隔壁２５の形成を不要としながら発光素子Ｅごとに独立に発光層２３を形成できる。以上のように、本発明の発光装置において隔壁２５は必ずしも必要な要素ではない。
【０１１４】
＜Ｃ−７：変形例７＞
以上の各形態においては有機ＥＬ材料からなる発光層２３を含む発光素子Ｅを例示したが、本発明における発光素子はこれに限定されない。例えば、無機ＥＬ材料からなる発光層を含む発光素子やＬＥＤ（Light Emitting Diode）素子など様々な発光素子を採用することができる。本発明における発光素子は、電気エネルギの供給（典型的には電流の供給）によって発光する素子であれば足り、その具体的な構造や材料の如何は不問である。
【０１１５】
＜Ｄ：応用例＞
次に、本発明に係る発光装置を利用した電子機器の具体的な形態を説明する。図２２は、以上に説明した何れかの形態に係る発光装置Ｄを表示装置として採用したモバイル型のパーソナルコンピュータの構成を示す斜視図である。パーソナルコンピュータ２０００は、表示装置としての発光装置Ｄと本体部２０１０とを備える。本体部２０１０には、電源スイッチ２００１およびキーボード２００２が設けられている。この発光装置Ｄは有機ＥＬ材料の発光層２３を発光素子Ｅに使用しているので、視野角が広く見易い画面を表示できる。
【０１１６】
図２３に、各形態に係る発光装置Ｄを適用した携帯電話機の構成を示す。携帯電話機３０００は、複数の操作ボタン３００１およびスクロールボタン３００２、ならびに表示装置としての発光装置Ｄを備える。スクロールボタン３００２を操作することによって、発光装置Ｄに表示される画面がスクロールされる。
【０１１７】
図２４に、各形態に係る発光装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての発光装置Ｄを備える。電源スイッチ４００２を操作すると、住所録やスケジュール帳といった各種の情報が発光装置Ｄに表示される。
【０１１８】
なお、本発明に係る発光装置が適用される電子機器としては、図２２から図２４に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る発光装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の発光装置を利用することができる。
【符号の説明】
【０１１９】
Ｄ……発光装置、Ｐ……単位素子、Ｅ……発光素子、１０……基板、１１……選択線、１２……初期化線、１３……データ線、１５……電源線、２１……第１電極、２２……第２電極、２３……発光層、３１，３２，４１，４２，４５……半導体層、５１，５２……中間導電体、６１，６２……接続部、７１，７２……素子導通部、５１１，５２１……ゲート電極、Ｔdr……駆動トランジスタ、Ｔsl……選択トランジスタ、Ｔint……初期化トランジスタ、Ｃ1……容量素子、Ｅ1，Ｅ2……電極、Ｌ0……ゲート絶縁層、Ｌ1……第１絶縁層、Ｌ2……第２絶縁層。
【図１】
2010160526.tif 000003
【図２】
2010160526.tif 000004
【図３】
2010160526.tif 000005
【図４】
2010160526.tif 000006
【図５】
2010160526.tif 000007
【図６】
2010160526.tif 000008
【図７】
2010160526.tif 000009
【図８】
2010160526.tif 000010
【図９】
2010160526.tif 000011
【図１０】
2010160526.tif 000012
【図１１】
2010160526.tif 000013
【図１２】
2010160526.tif 000014
【図１３】
2010160526.tif 000015
【図１４】
2010160526.tif 000016
【図１５】
2010160526.tif 000017
【図１６】
2010160526.tif 000018
【図１７】
2010160526.tif 000019
【図１８】
2010160526.tif 000020
【図１９】
2010160526.tif 000021
【図２０】
2010160526.tif 000022
【図２１】
2010160526.tif 000023
【図２２】
2010160526.tif 000024
【図２３】
2010160526.tif 000025
【図２４】
2010160526.tif 000026
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
基板上に、発光素子と、電源線と前記発光素子との間に接続された第１のトランジスタと、前記第１のトランジスタのゲート電極と前記第１のトランジスタのドレインとの間に接続された第２のトランジスタと、前記第１のトランジスタのゲート電極と前記第２のトランジスタのソースまたはドレインとを電気的に接続する接続部と、を有し、
前記電源線は、前記第１の方向に延在する第１の電源線と、前記第１の方向とは交差する第２の方向に延在する第２の電源線と、を有し、
平面視において、前記接続部は、前記第１の電源線と前記第２の電源線との間の領域に位置していることを特徴とする発光装置。
【請求項２】
前記電源線と前記第１のトランジスタとは、前記第１の電源線に設けられたコンタクト部を介して電気的に接続されていることを特徴とする請求項１に記載の発光装置。
【請求項３】
前記第１のトランジスタと前記発光素子とを電気的に接続する素子導通部と、を有し、
平面視において、前記素子導通部と前記接続部との間に前記第２の電源線が配置されていることを特徴とする請求項１または２に記載の発光装置。
【請求項４】
駆動期間において、前記第１のトランジスタは前記発光素子に電流を供給し、
前記駆動期間の前の期間において、前記第２のトランジスタがオン状態にあることで、前記第１のトランジスタがダイオード接続されることを特徴とする請求項１乃至３のいずれか１項に記載の発光装置。
【請求項５】
前記発光素子は、第１の電極と、第２の電極と、を有し、
前記第１の電極は、前記電源線と平面的に重なる部分を有することを特徴とする請求項１乃至４のいずれか１項に記載の発光装置。
【請求項６】
前記接続部および前記電源線は、第１の層に形成されていることを特徴とする請求項１乃至５のいずれか１項に記載の発光装置。
【請求項７】
前記第１の方向は、データ線が延在する方向であることを特徴とする請求項１乃至６のいずれか１項に記載の発光装置。
【請求項８】
請求項１から請求項７のいずれかに記載の発光装置を備える電子機器。
【手続補正２】
【補正対象書類名】明細書
【補正対象項目名】０００６
【補正方法】変更
【補正の内容】
【０００６】
本発明に係る発光装置の特徴は、基板上に、発光素子と、電源線と前記発光素子との間に接続された第１のトランジスタと、前記第１のトランジスタのゲート電極と前記第１のトランジスタのドレインとの間に接続された第２のトランジスタと、前記第１のトランジスタのゲート電極と前記第２のトランジスタのソースまたはドレインとを電気的に接続する接続部と、を有し、前記電源線は、前記第１の方向に延在する第１の電源線と、前記第１の方向とは交差する第２の方向に延在する第２の電源線と、を有し、平面視において、前記接続部は、前記第１の電源線と前記第２の電源線との間の領域に位置していることにある。
本発明に係る発光装置の第１の特徴は、電源線から発光素子に供給される電流量を制御する駆動トランジスタと、駆動トランジスタと発光素子とを電気的に接続する素子導通部（例えば図７の素子導通部７１）と、オン状態に変化することで駆動トランジスタをダイオード接続する初期化トランジスタと、駆動トランジスタと初期化トランジスタとを電気的に接続する接続部（例えば図７の接続部６１）とが基板上に配置され、電源線は、所定の方向に延在する第１部分（例えば図７に図示された電源線１５）を含み、素子導通部および接続部は、電源線と同層から形成され、駆動トランジスタを挟んで第１部分の幅方向（例えば図７のＹ方向）における一方の側に位置することにある。本態様の具体例は第１実施形態として後述される。
【手続補正３】
【補正対象書類名】明細書
【補正対象項目名】００１７
【補正方法】変更
【補正の内容】
【００１７】
本発明の第１および第２の特徴に係る発光装置の具体的な態様において、駆動トランジスタと素子導通部と初期化トランジスタと接続部とを各々が含む複数の単位素子が所定の方向とは交差する方向に配列し、電源線は、各単位素子に対応する複数の第１部分と、相互に隣接する各第１部分を連結する第２部分（例えば図１５における第２部分１５２）とを含む。この態様によれば、電源線が第１部分のみからなる構成と比較して電源線の抵抗をさらに低減することができる。
本発明の特徴に係る発光装置の具体的な態様において、前記電源線と前記第１のトランジスタとは、前記第１の電源線に設けられたコンタクト部を介して電気的に接続されていることを含む。
本発明の特徴に係る発光装置の具体的な態様において、前記第１のトランジスタと前記発光素子とを電気的に接続する素子導通部と、を有し、平面視において、前記素子導通部と前記接続部との間に前記第２の電源線が配置されていることを含む。
本発明の特徴に係る発光装置の具体的な態様において、駆動期間において、前記第１のトランジスタは前記発光素子に電流を供給し、前記駆動期間の前の期間において、前記第２のトランジスタがオン状態にあることで、前記第１のトランジスタがダイオード接続されることを含む。
本発明の特徴に係る発光装置の具体的な態様において、前記発光素子は、第１の電極と、第２の電極と、を有し、前記第１の電極は、前記電源線と平面的に重なる部分を有することを含む。
本発明の特徴に係る発光装置の具体的な態様において、前記接続部および前記電源線は、第１の層に形成されていることを含む。
本発明の特徴に係る発光装置の具体的な態様において、前記第１の方向は、データ線が延在する方向であることを含む。